(57)【要約】【課題】外観に与える影響を抑えつつ、防水性を維持し、かつ、筐体内外の空気を通気することができる電子機器を提供する。【解決手段】電子機器１０は、ケース２１およびカバー２２を有する第２筐体１２と、第２筐体１２に収容された回路基板３１と、回路基板３１に実装された発光部２６と、カバー２２に設けられて発光部２６からの光を透過する貫通孔３２と、貫通孔３２を覆う防水シート３３とを備えている。防水シート３３は通気性および透光性を有する。よって、第２筐体１２が変形して第２筐体１２の内部の密閉空間２３の容積が減少しても、密閉空間２３の内圧を上昇させないように密閉空間２３の空気を外側に排出できる。【選択図】図３
2012134443.tif 000002
【特許請求の範囲】
【請求項１】
ケースおよびカバーを有する筐体と、
前記筐体に収容された発光部と、
前記カバーに設けられ、前記発光部からの光を透過する貫通孔と、
前記貫通孔を覆う防水シートと、を備え、
前記防水シートが通気性および透光性を有する電子機器。
【請求項２】
請求項１に記載の電子機器において、
前記防水シートが、前記発光部からの光を拡散させる光拡散性を有する電子機器。
【請求項３】
請求項１または請求項２に記載の電子機器において、
前記防水シートが、前記カバーの内側に設けられているとともに、
前記発光部と前記防水シートとの間に非導電性シートが介装されている電子機器。
【請求項４】
請求項３に記載の電子機器において、
前記防水シートおよび前記非導電性シートが第１固定部材を介して積層されているとともに、前記第１固定部材が前記筐体内の空気を前記防水シートに案内する案内路を備えている電子機器。
【請求項５】
請求項１ないし請求項４のうちのいずれか１項に記載の電子機器において、
前記カバーの外側に前記貫通孔の少なくとも一部を覆うようにパネルが第２固定部材を介して設けられているとともに、前記第２固定部材が前記防水シートの表面から前記筐体内の空気を外部に案内する案内路を備えている電子機器。
【請求項６】
ケースおよびカバーを有する筐体と、
前記筐体に収容された発光部と、
前記カバーに設けられ、前記発光部からの光を透過する第１貫通孔と、
前記第１貫通孔を覆い、第２貫通孔が設けられたパネルと、
前記第２貫通孔を覆う防水シートと、を備え、
前記第１貫通孔と前記第２貫通孔とが、前記カバーと前記パネルとの空隙により形成された案内路によって連通され、
前記防水シートが通気性を有する電子機器。
【請求項７】
ケースおよびカバーを有する筐体と、
前記カバーに設けられ、外部端子と接続するための第１貫通孔と、
前記第１貫通孔を覆い、第２貫通孔が設けられ、外部端子と接続する板金と、
前記第２貫通孔を覆う防水シート、とを備え、
前記第１貫通孔と前記第２貫通孔とが、前記カバーと前記板金との空隙により形成された案内路によって連通され、
前記防水シートが通気性を有する電子機器。
【請求項８】
請求項６または請求項７に記載の電子機器において、
前記第１貫通孔は、前記第２貫通孔と対向しない位置に設けられた電子機器。
【発明の詳細な説明】
【技術分野】
【０００１】
本発明は、筐体のケースに回路基板が収容され、回路基板に発光部が実装され、筐体のカバーに設けられた貫通孔が防水シートで覆われ、貫通孔を経て発光部からの光を外部に導くように構成された電子機器に関する。
【背景技術】
【０００２】
図５に示すように、電子機器１００として、第１筐体１０１および第２筐体１０２がヒンジ部１０３を介して使用状態（開状態）と携帯状態（閉状態）との間で回動自在に連結された携帯端末が知られている。
第１筐体１０１は、裏面１０１Ａに操作部１０５を備えている。
第２筐体１０２は、一般的に、防水シール（図示せず）を介装したケース１０７およびカバー１０８により防水機能を有する筐体が構成されている。この第２筐体１０２には、ケース１０７の底部１０７Ａに表示部１０９を備えるとともに、ケース１０７の内部にレシーバ１１１や発光部１１２が設けられている。
【０００３】
図６に示すように、レシーバ１１１は、例えば通話中に受信した音声を発生する機器である。レシーバ１１１は、枠状の支持部材１１５に両面テープ１１６により接着された振動板１１７を有する。
この支持部材１１５がケース１０７の裏側１０７Ｂに両面テープ１１８により接着されることにより、ケース１０７の開口１０７Ｃに振動板１１７が配置されている（例えば、特許文献１）。
【０００４】
一方、図７に示すように、発光部１１２は、例えばメール・通話の送着信時等に点灯・点滅する機器である。この発光部１１２は、カバー１０８の開口１０８Ａに対応する位置にＬＥＤ１２２が実装された回路基板１２１を有する。
開口１０８Ａの外側に開口１０８Ａを覆うようにオーナメント１２３が両面テープ１２４により取り付けられ、開口１０８Ａの内側に開口１０８Ａを覆うように拡散シート１２５が両面テープ１２６により取り付けられている。
ここで、図６、図７に示す第２筐体１０２は、内部が密閉されて防水性を維持している。また、両面テープ１１６によって振動板１１７と支持部材１１５の間を密閉することによって、振動板１１７および支持部材１１５よりも筐体内部側の回路を、水等の液体の浸入から保護する技術が知られている。
【先行技術文献】
【特許文献】
【０００５】
【特許文献１】特開２０１０−１０９８５１号公報（段落００３７、図５）
【発明の概要】
【発明が解決しようとする課題】
【０００６】
しかしながら、図６に示す第２筐体１０２は、内部が密閉されているため、例えば第２筐体１０２に対して曲げ、あるいは厚み方向に沿って第２筐体１０２を圧縮するような外力が加えられる場合、換言すれば第２筐体１０２の内部の密閉空間１２８の容積が減少するようなった外力が加えられる場合が考えられる。
【０００７】
この場合、振動板１１７と支持部材１１５の間が密閉されていると、密閉空間１２８の内圧Ｐが上昇してレシーバ１１１の振動板１１７が、想像線で示すように変形して第２筐体１０２の外側に向けて突出する。
このように、振動板１１７が変形した状態で、レシーバ１１１が駆動された場合、正規の音声が発生せず、使用者が音声を聞き取り難いという不都合がある。
【０００８】
このような不都合を解決するためには、密閉空間１２８の空気を外部に排出する必要があるが、排出口を別途設けてしまうと電子機器の外観への影響が大きい。また、振動板１１７と支持部材１１５との間を密閉せず、音孔に通気性を有する防水シートを貼り付けることで、防水性と空気の排出とを両立することも考えられるが、この場合も以下の問題がある。
【０００９】
すなわち、この場合、音孔を防水シートで覆う必要があるために、レシーバ１１１近傍の厚みが増してしまう。レシーバ１１１はユーザの通話を容易にするため筐体の端部付近に設けられるため、この部分の厚みの増加は電子機器全体の外観に与える影響が非常に大きい。
このように、従来の構成では、いずれの場合も電子機器の外観に与える影響を抑えつつ、防水性と排気を実現することは難しいという課題があった。
【００１０】
本発明は、前述した課題を解決するためになされたものであり、その目的は、外観に与える影響を抑えつつ、防水性を維持し、かつ、筐体内外の空気を通気することができる電子機器を提供することにある。
【課題を解決するための手段】
【００１１】
本発明の第１の態様に係る電子機器は、ケースおよびカバーを有する筐体と、前記筐体に収容された発光部と、前記カバーに設けられ、前記発光部からの光を透過する貫通孔と、前記貫通孔を覆う防水シートと、を備え、前記防水シートが通気性および透光性を有する。
【００１２】
また、本発明の第２の態様に係る電子機器は、前記防水シートが、前記発光部からの光を拡散させる光拡散性を有する。
【００１３】
さらに、本発明の第３の態様に係る電子機器は、前記防水シートが、前記カバーの内側に設けられているとともに、前記発光部と前記防水シートとの間に非導電性シートが介装されている。
【００１４】
また、本発明の第４の態様に係る電子機器は、前記防水シートおよび前記非導電性シートが第１固定部材を介して積層されているとともに、前記第１固定部材が前記筐体内の空気を前記防水シートに案内する案内路を備えている。
【００１５】
さらに、本発明の第５の態様に係る電子機器は、前記カバーの外側に前記貫通孔の少なくとも一部を覆うようにパネルが第２固定部材を介して設けられているとともに、前記第２固定部材が前記防水シートの表面から前記筐体内の空気を外部に案内する案内路を備えている。
【００１６】
また、本発明の第６の態様に係る電子機器は、ケースおよびカバーを有する筐体と、前記筐体に収容された発光部と、前記カバーに設けられ、前記発光部からの光を透過する第１貫通孔と、前記第１貫通孔を覆い、第２貫通孔が設けられたパネルと、前記第２貫通孔を覆う防水シートと、を備え、前記第１貫通孔と前記第２貫通孔とが、前記カバーと前記パネルとの空隙により形成された案内路によって連通され、前記防水シートが通気性を有する。
【００１７】
また、本発明の第７の態様に係る電子機器は、ケースおよびカバーを有する筐体と、前記カバーに設けられ、外部端子と接続するための第１貫通孔と、前記第１貫通孔を覆い、第２貫通孔が設けられ、外部端子と接続する板金と、前記第２貫通孔を覆う防水シート、とを備え、前記第１貫通孔と前記第２貫通孔とが、前記カバーと前記板金との空隙により形成された案内路によって連通され、前記防水シートが通気性を有する。
【００１８】
さらに、本発明の第８の態様に係る電子機器は、前記第１貫通孔が、前記第２貫通孔と対向しない位置に設けられている。
【発明の効果】
【００１９】
本発明の第１の態様に係る電子機器によれば、カバーに発光部からの光を透過する貫通孔を備え、さらに貫通孔を覆う防水シートを備えている。この防水シートは通気性および透光性を有する。
よって、筐体が変形して筐体の内部の密閉空間の容積が減少しても、密閉空間の内圧を上昇させないように密閉空間の空気を外側に排出できる。この際、発光部からの光を透過する貫通孔を空気の通気口として用いているので、新たに通気口を設ける必要がない。また、発光部の位置はレシーバ等に比べれば自由度が高いので、筐体の外観に与える影響を抑えることもできるという効果を有する。
【００２０】
また、本発明の第２の態様に係る電子機器によれば、防水シートが、発光部からの光を拡散する光拡散性を有する。
これにより、拡散シートを別途用いる必要がなく、部品点数を少なくできるとともに組立工程を簡略化できるという効果を有する。
【００２１】
さらに、本発明の第３の態様に係る電子機器によれば、防水シートをカバーの内側に設けるとともに、発光部と防水シートとの間に非導電性シートを介装した。
このように、発光部と防水シートとの間に非導電性シートを介装することにより発光部を、筐体外部から防水シートを通過して侵入してくる静電気から保護して損傷を防止できるという効果を有する。
【００２２】
また、本発明の第４の態様に係る電子機器によれば、第１固定部材を介して防水シートおよび非導電性シートを積層した。この第１固定部材に、筐体内の空気を防水シートの表面に案内する案内路を備えた。
このように、筐体内の空気を防水シートの表面に案内することにより密閉空間の内圧が上下に変化することを防止できるという効果を有する。
【００２３】
さらに、本発明の第５の態様に係る電子機器によれば、カバーの外側に貫通孔の少なくとも一部を覆うように第２固定部材を介してパネルを設けた。この第２固定部材に、防水シートから筐体内の空気を外部に案内する案内路を備えた。
このように、通気口として用いている貫通孔をカバーによって装飾しつつ、密閉空間の内圧の上下に変化することを防止できるという効果を有する。
【００２４】
また、本発明の第６の態様に係る電子機器によれば、カバーに発光部からの光を透過する第１貫通孔を備え、さらに第２貫通孔を覆う防水シートを備えている。この防水シートは通気性および透光性を有する。
よって、筐体が変形して筐体の内部の密閉空間の容積が減少しても、密閉空間の内圧を上昇させないように密閉空間の空気を外側に排出できる。この際、発光部からの光を透過する貫通孔を空気の通気口として用いているので、新たに通気口を設ける必要がない。また、発光部の位置はレシーバ等に比べれば自由度が高いので、筐体の外観に与える影響を抑えることもできるという効果を有する。
【００２５】
また、本発明の第７の態様に係る電子機器によれば、ケースおよびカバーを有する筐体と、前記カバーに設けられ、外部端子と接続するための第１貫通孔と、前記第１貫通孔を覆い、第２貫通孔が設けられ、外部端子と接続する板金と、前記第２貫通孔を覆う防水シート、とを備え、前記第１貫通孔と前記第２貫通孔とが、前記カバーと前記板金との空隙により形成された案内路によって連通され、前記防水シートが通気性を有する。
よって、筐体が変形して筐体の内部の密閉空間の容積が減少しても、密閉空間の内圧を上昇させないように密閉空間の空気を外側に排出できる。この際、外部端子と接続する貫通孔を空気の通気口として用いているので、新たに通気口を設ける必要がない。また、外部端子と接続する位置はレシーバ等に比べれば自由度が高いので、筐体の外観に与える影響を抑えることもできるという効果を有する。
【００２６】
また、本発明の第８の態様に係る電子機器によれば、前記第１貫通孔が、前記第２貫通孔と対向しない位置に設けられている。
このように、対向しない位置にすることにより筐体の厚み構成を薄くできるという効果を有する。
【図面の簡単な説明】
【００２７】
【図１】本発明の実施形態１〜３に係る電子機器の使用状態（開状態）を示す斜視図
【図２】本発明の実施形態１に係る図１の電子機器を示す分解斜視図
【図３】図２のＩ部拡大図
【図４】本発明の実施形態１に係る電子機器図１のＩＩ−ＩＩ線断面図
【図５】従来の電子機器の使用状態（開状態）を示す斜視図
【図６】従来のレシーバを示す断面図
【図７】従来の発光部を示す断面図
【図８】本発明の実施形態２に係る図１の電子機器を示す分解斜視図
【図９】図８のＩ部拡大図
【図１０】本発明の実施形態２に係る電子機器図１のＩＩ−ＩＩ線断面図
【図１１】本発明の実施形態３に係る電子機器図１のＩＩＩ−ＩＩＩ線断面図
【発明を実施するための形態】
【００２８】
以下、本発明の実施形態に係る電子機器について図面を参照して説明する。
【００２９】
図１に示すように、本発明の実施形態である電子機器１０は、第１筐体１１および第２筐体（筐体）１２がヒンジ部１３を介して使用状態（開状態）と携帯状態（閉状態）との間で回動自在に連結された携帯端末である。
第１筐体１１は、略矩形体状の箱形に形成され、裏面１１Ａに操作部を備え、表面１１Ｂに撮像レンズ１５および蓋部１６を備えている。裏面１１Ａは、電子機器１０の閉状態において、第２筐体１２に対向可能な面である。
【００３０】
第２筐体１２は、略矩形体状の箱形に形成されたケース２１と、ケース２１の開口部２１Ａを塞ぐカバー２２とを備え、ケース２１の開口部２１Ａをカバー２２で塞ぐことにより密閉空間２３（図４参照）を備えている。
この第２筐体１２は、ケース２１の裏面２１Ｂに表示部を備えるとともに、内部にレシーバ２５や発光部２６が設けられている。裏面２１Ｂは、電子機器１０の閉状態において、第１筐体１１に対向可能な面である。
【００３１】
レシーバ２５は、振動板（図示せず）を有し、例えば通話中に受信した音声を発生する機器である。この振動板は、密閉空間２３に対向するようにケース２１の裏面２１Ｂに設けられている。
【００３２】
（実施形態１）
この電子機器１０は、図２、図３に示すように、ケース２１の内部に収容された回路基板３１と、回路基板３１に実装された発光部２６と、カバー２２に設けられて発光部２６からの光を透過する貫通孔３２と、貫通孔３２を覆う防水シート３３と、発光部２６および防水シート３３間に介装された非導電性シート３５と、カバー２２の外側に貫通孔３２を覆うように設けられたパネル（オーナメント）３７とを備えている。
【００３３】
回路基板３１は、図４に示すように、ケース２１の底部２１Ｃに設けられることにより、表面３１Ａがカバー２２に対向するように配置されている。回路基板３１の表面３１Ａに発光部２６が実装されている。
【００３４】
発光部２６は、回路基板３１の表面３１Ａに実装されることによりカバー２２の貫通孔３２に向けて照射可能に配置されたＬＥＤである。
この発光部２６は、例えばメール・通話の送着信時等に点灯・点滅する機器である。
【００３５】
ケース２１の開口部２１Ａ（図２参照）を塞ぐカバー２２に凹部２２Ａが略矩形状に形成されている。さらに、カバー２２の凹部２２Ａにおいて中央に貫通孔３２が形成されている。
この凹部２２Ａの裏面２２Ｂに第１内側両面テープ４１を介して防水シート３３の表面３３Ａが接着されている。これにより、カバー２２の裏面２２Ｂで、かつ貫通孔３２を覆う位置に防水シート３３が設けられている。
【００３６】
図２、図３に示すように、第１内側両面テープ４１は、防水シート３３の周縁３３Ｂに沿って接着されるように断面略ロ字状に形成されている。
よって、第１内側両面テープ４１の中央に開口、すなわち第１内側案内路４３が形成されている。これにより、防水シート３３の表面３３Ａに導かれた空気を第１内側案内路４３を経て貫通孔３２に導くことができる。
【００３７】
図４に示すように、防水シート３３の裏面３３Ｃに第２内側両面テープ（第１固定部材）４５を介して非導電性シート３５の表面３５Ａが接着されている。
すなわち、防水シート３３の裏面３３Ｃに非導電性シート３５が第２内側両面テープ４５を介して積層されている。
【００３８】
防水シート３３は、略矩形状に形成されたシートであって、通気性および透光性を有し、かつ、カバー２２の外側に向かって光を拡散する光拡散性を有する。
この防水シート３３は、防水シートの厚み方向に沿って連続する孔（例えば気泡）が形成された発泡ウレタン樹脂シート、延伸フィルムまたは蒸着式フィルムが用いられる。
連続する孔（例えば気泡）は、水分子よりも小さく、かつ気体分子よりも大きく形成されている。
これにより、防水シート３３は、通気性を確保するとともに、防水性を確保できる。
なお、防水シート３３としては、例えば日東電工株式会社製S-NTF2026A-N06を例示できる。
【００３９】
ここで、シートの光拡散性は、一般にシートの編目が細かい方が好ましいことが知られている。
これは、シートの編目が細かいほど、光がシートにぶつかる箇所が増えるため、より光が乱反射し易くなるためである。一方、シートの通気性は、空気の分子がシートを通過し易くなるほど高まるため、シートの編目が粗い方が好ましい。したがって、防水シートで光を拡散させる場合には、光拡散性と通気性の間はトレードオフの関係がある。
【００４０】
ただし、「防水シート」として機能する程度に目が細かいシートは、少なくとも水分子よりも細かい目を持っているため、シートを構成する材質や色が光を吸収するものでない限り、光拡散性を備えることが可能である。
なお、光拡散性を高めるためには、シートが白色等の良く光を反射する色で構成されていることが望ましいが、他の色でもある程度の光拡散性を得ることが可能である。
【００４１】
図２、図３に示すように、第２内側両面テープ４５は、例えば一対のテープ部４５Ａで略ニ字状に形成され、一対のテープ部４５Ａ間に第２内側案内路（案内路）４７を備えている。
第２内側案内路４７は、第２筐体１２内の空気を防水シート３３の裏面３３Ｃに案内する案内路である。
【００４２】
ここで、前述したように、防水シート３３は、通気性を確保するために、防水シートの厚み方向に沿って連続する孔（例えば気泡）が形成されている。
このため、貫通孔３２を経た静電気が防水シート３３の孔（例えば気泡）を通過して発光部２６に到達することが考えられる。
【００４３】
そこで、図４に示すように、防水シート３３に非導電性シート３５を第２内側両面テープ４５を介して積層するようにした。
これにより、防水シート３３の孔（例えば気泡）を通過した静電気を非導電性シート３５で遮断して発光部２６を静電気から保護して発光部２６の損傷を防止できる。
【００４４】
非導電性シート３５は、例えば、透光性を有するＰＥＴシートが用いられるが、これに限定するものではない。
非導電性シート３５は、防水シート３３と同様に、略矩形状に形成されている。ただし、非導電性シート３５の形状は略矩形状のものに限られず、また、防水シート３３と略同一の面積を持つ必要もない。最低限、発光部２６を覆う広さがあれば発光部２６を静電気から保護することができるので、この条件が満たされる限り形状および面積は問わない。また、非導電性質シート３５を用いずに発光部２６を静電気から保護できるのであれば、非導電性シート３５を設けなくともよい。例えば、発光部２６の近傍に、発光部２６を回避するよう静電気を導く金属等を配置すること等が考えられる。
【００４５】
カバー２２の凹部２２Ａに外側両面テープ５１（第２固定部材）を介して略矩形状のパネル（オーナメント）３７が設けられている。パネル３７を凹部２２Ａに設けることにより、パネル３７でカバー２２の外側を装飾するとともに貫通孔３２を覆うことができる。
なお、パネル３７は貫通孔３２の全体を覆う必要はなく、少なくとも一部覆うものであってもよい。また、パネル３７は装飾用のものであるため、電子機器のデザインによっては設けなくてもよい。
【００４６】
図２、図３に示すように、外側両面テープ５１は、例えば、略Ｃ（コ）字状に形成されることにより、外側案内路（案内路）５２を備えている。
外側両面テープ５１に外側案内路５２を備えることにより、防水シート３３の表面３３Ａから貫通孔３２に導かれた空気を第２筐体１２の外部に案内することが可能になる。
【００４７】
以上説明したように、第２内側両面テープ４５を一対のテープ部４５Ａで形成することにより一対のテープ部４５Ａ間に第２内側案内路４７を備え、第２筐体１２内の空気を防水シート３３の裏面３３Ｃに案内可能とした。
また、防水シート３３に連続する孔（例えば気泡）を形成して通気性を備えた。
【００４８】
さらに、第１内側両面テープ４１に第１内側案内路４３を備え、防水シート３３の表面３３Ａに導かれた空気を第１内側案内路４３を経て貫通孔３２に案内可能とした。
加えて、外側両面テープ５１に外側案内路５２を備え、防水シート３３の表面３３Ａから貫通孔３２に導かれた空気を第２筐体１２の外部に案内可能とした。
【００４９】
よって、第２筐体１２が変形して第２筐体１２の内部の密閉空間２３の容積が減少した場合、図３に示すように、密閉空間２３の空気が第２内側両面テープ４５の第２内側案内路４７を経て防水シート３３の裏面３３Ｃ（図４参照）に向けて矢印Ａ方向に導かれる。
また、防水シート３３の裏面３３Ｃに案内された空気が防水シート３３を経て防水シート３３の表面３３Ａに向けて矢印Ｂ方向に導かれる。
さらに、防水シート３３の表面３３Ａに案内された空気が第１内側両面テープ４１の第１内側案内路４３を経て貫通孔３２に向けて矢印Ｃ方向に導かれる。
加えて、貫通孔３２に案内された空気が外側両面テープ５１の外側案内路５２を経て第２筐体１２の外部に向けて矢印Ｄ方向に導かれる。
【００５０】
よって、第２筐体１２が変形して第２筐体１２の内部の密閉空間２３の容積が減少した場合に、密閉空間２３の空気を第２筐体１２の外側に排出して密閉空間２３の内圧を上昇させないようにできる。
これにより、レシーバ２５（図１参照）の振動板に変形が生じることを防いで音質変化が生じないようにできる。
【００５１】
また、通気口として発光部２６からの光を透過する貫通孔３２を用いているので、新たに通気口を設ける必要がない。さらに、発光部２６の位置はレシーバ２５等に比べれば自由度が高いので、レシーバ２５の音孔を通気口として利用する場合よりも筐体の外観に与える影響を抑えることもできる。例えば、カメラ素子等、発光部２６と各シートおよび各両面テープの厚みの総和よりも厚い素子が配置される箇所の近傍に、発光部２６を設けることで実質的に電子機器の厚みを増さずに密閉空間２３の内圧を上昇させないようにできる。特に、カメラ素子の近傍には撮影時のフラッシュの役割を果たす発光部が設けられることが多いので、このような発光部を通気口として用いることで外観に与える影響を大きく抑えることができる。
なお、上述したとおり、非導電性シート等は必須の構成ではない場合もあるので、これらの一部または全部を使用しない場合は、使用しないシートや両面テープの厚みを除いて実施形態１に係る構成の厚みを評価する必要がある。
【００５２】
さらに、非導電性シート３５、防水シート３３、およびパネル３７は透光性を有する。よって、図４に示すように、発光部２６から投光した光が非導電性シート３５を透過して第２内側案内路４７に向けて矢印Ｅ方向に導かれる。
第２内側案内路４７に導かれた光が、第２内側案内路４７を経た後、防水シート３３を透過して第１内側案内路４３に向けて矢印Ｅ方向に導かれる。
【００５３】
第１内側案内路４３に導かれた光が、第１内側案内路４３、貫通孔３２および外側案内路５２を経た後、パネル３７を透過して第２筐体１２の外部に向けて矢印Ｅ方向に照射される。
これにより、例えばメール・通話の送着信時等に発光部２６が点灯・点滅することにより、発光部２６から投光した光を第２筐体１２の外部に照射できる。
【００５４】
加えて、防水シート３３は、厚み方向に沿って連続する孔（例えば気泡）が形成されている。よって、防水シート３３は、発光部２６から投光した光を気泡の不規則性によりカバー２２の外側に向けて拡散させる光拡散性を有する。
これにより、拡散シートを別途用いる必要がなく、部品点数を少なくできるとともに組立工程を簡略化できるという効果を有する。
【００５５】
（実施形態２）
この電子機器１０は、図８、図９に示すように、ケース２１の内部に収容された回路基板３１と、回路基板３１に実装された発光部２６と、カバー２２に設けられて発光部２６からの光を透過する貫通孔３２（第１貫通孔）と、貫通孔３２を覆って光を透過し拡散するパネル６１の貫通孔６２（第２貫通孔）を覆う防水シート６３を備えている。
【００５６】
回路基板３１は、図４に示すように、ケース２１の底部２１Ｃに設けられることにより、表面３１Ａがカバー２２に対向するように配置されている。回路基板３１の表面３１Ａに発光部２６が実装されている。
【００５７】
発光部２６は、回路基板３１の表面３１Ａに実装されることによりカバー２２の貫通孔３２に向けて照射可能に配置されたＬＥＤである。
この発光部２６は、例えばメール・通話の送着信時等に点灯・点滅する機器である。
【００５８】
ケース２１の開口部２１Ａ（図２参照）を塞ぐカバー２２の中央に貫通孔３２が形成されている。
この貫通孔３２の裏面２２Ｂに第１内側両面テープ７１を介してパネル６１の表面６１Ａが接着されている。これにより、カバー２２の裏面２２Ｂで、かつ貫通孔３２を覆う位置にパネル６１が設けられている。
【００５９】
図８、図９に示すように、第１内側両面テープ７１は、パネル６１の周縁６１Ｂに沿って接着されるように断面略ロ字状に形成されている。
よって、第１内側両面テープ７１の中央に開口、すなわち、カバー２２とパネル６１との空隙によって第１内側案内路７２が形成されている。これにより、パネル６１の貫通穴６２に導かれた空気を第１内側案内路７２を経て貫通孔３２に導くことができる。
【００６０】
図１０に示すように、パネル６１の裏面６１Ｃに第２内側両面テープ（第１固定部材）７３を介して防水シート６３の表面６３Ａが接着されている。
すなわち、パネル６１の裏面６１Ｃに防水シート６３が第２内側両面テープ７３を介して積層されている。
【００６１】
防水シート６３は、略矩形状に形成されたシートであって、通気性を有する。
この防水シート６３は、防水シートの厚み方向に沿って連続する孔（例えば気泡）が形成された発泡ウレタン樹脂シート、延伸フィルムまたは蒸着式フィルムが用いられる。
連続する孔（例えば気泡）は、水分子よりも小さく、かつ気体分子よりも大きく形成されている。
これにより、防水シート６３は、通気性を確保するとともに、防水性を確保できる。
なお、防水シート６３としては、例えば日東電工株式会社製S-NTF2026A-N06を例示できる。
【００６２】
図８、図９に示すように、第２内側両面テープ７３は、防水テープ６３の周縁６３Ｂに沿って接着されるように断面略ロ字状に形成され、第２内側案内路（案内路）７４備えている。
第２内側案内路７４は、第２筐体１２内の空気をパネル６１の裏面６１Ｃに案内する案内路である。
【００６３】
ここで、前述したように、防水シート６３は、通気性を確保するために、防水シートの厚み方向に沿って連続する孔（例えば気泡）が形成されている。
このため、貫通孔３２を経た静電気が防水シート６３の孔（例えば気泡）を通過し、発光部２６に到達すると考えられる。
【００６４】
そこで、図１０に示すように、貫通孔３２とパネル６１の貫通孔６２とを対向しない位置に所定距離（例えば、１０〜２０ｍｍ）を置いて並列に配置するようにした。
これにより、パネル６１の貫通孔６２を通過した静電気が発光部２６に達しないため、静電気による発光部２６の損傷を防止できる。
【００６５】
以上説明したように、第２内側両面テープ７３に第２内側案内路７４を備え、第２筐体１２内の空気をパネル６１の裏面６１Ｃに案内可能とした。
また、防水シート６３に連続する孔（例えば気泡）を形成して通気性を備えた。
【００６６】
さらに、第１内側両面テープ７１に第１内側案内路７２を備え、パネル６１の表面６１Ａに導かれた空気を第１内側案内路７２を経て貫通孔３２に案内可能とした。
【００６７】
よって、第２筐体１２が変形して第２筐体１２の内部の密閉空間２３の容積が減少した場合、図９に示すように、密閉空間２３の空気が防水シート６３を経て防水シート６３の表面６３Ａに向けて矢印Ａ方向に導かれる。
防水シート６３を経て防水シート６３の表面６３Ａに案内された空気が、第２内側両面テープ７３の第２内側案内路７４を経てパネル６１の裏面６１Ｃ（図１０参照）に向けて矢印Ｂ方向に導かれる。
また、パネル６１の裏面６１Ｃに案内された空気がパネル６１の貫通穴６２を経てパネル６１の表面６１Ａに向けて矢印Ｃ方向に導かれる。
さらに、パネル６１の表面６１Ａに案内された空気が第１内側両面テープ７１の第１内側案内路７２を経て貫通孔３２の隙間に向けて矢印Ｄ方向に導かれる。
【００６８】
よって、第２筐体１２が変形して第２筐体１２の内部の密閉空間２３の容積が減少した場合に、密閉空間２３の空気を第２筐体１２の外側に排出して密閉空間２３の内圧を上昇させないようにできる。
これにより、レシーバ２５（図１参照）の振動板に変形が生じることを防いで音質変化が生じないようにできる。
【００６９】
また、通気口として発光部２６からの光を透過する貫通孔３２を用いているので、新たに通気口を設ける必要がない。さらに、発光部２６の位置はレシーバ２５等に比べれば自由度が高いので、レシーバ２５の音孔を通気口として利用する場合よりも筐体の外観に与える影響を抑えることもできる。例えば、カメラ素子等、発光部２６と各シートおよび各両面テープの厚みの総和よりも厚い素子が配置される箇所の近傍に、発光部２６を設けることで実質的に電子機器の厚みを増さずに密閉空間２３の内圧を上昇させないようにできる。特に、カメラ素子の近傍には撮影時のフラッシュの役割を果たす発光部が設けられることが多いので、このような発光部を通気口として用いることで外観に与える影響を大きく抑えることができる。
また、回路基板３１と防水シート６３を積層しないように距離を離して配置することで、厚みを薄くすることができる。
【００７０】
さらに、パネルは透光性を有する。よって、図１０に示すように、発光部２６から投光した光が拡散パネルを透過して外部に向けて矢印Ｅ方向に照射される。
これにより、例えばメール・通話の送着信時等に発光部２６が点灯・点滅することにより、発光部２６から投光した光を第２筐体１２の外部に照射できる。
【００７１】
加えて、パネル６１は、乳白色材料にすることでカバー２２の外側に向けて拡散させる光拡散性を有する。
これにより、拡散シートと非導電性シート用いる必要がなく、部品点数を少なくできるとともに組立工程を簡略化できるという効果を有する。
【００７２】
なお、上記実施形態１および実施形態２に係る電子機器について、発光部２６（ＬＥＤ等）をセンサー部（照度センサー等）として構成することもできる。
【００７３】
（実施形態３）
この電子機器１０は、図１に示すように、ケース１６の内部に収容された回路基板９６と、回路基板９６に実装された接点ばね９５と、カバー１１に設けられて外部端子から接続するための貫通孔８０（第１貫通孔）と、貫通孔８０を覆い外部端子と接続する板金８１と、板金８１の貫通孔８２（第２貫通孔）を覆う防水シート８３を備えている。
【００７４】
回路基板９６は、図１１に示すように、ケース１６の底部１６Ｃに設けられることにより、表面９６Ａがカバー１１に対向するように配置されている。回路基板９６の表面９６Ａに接点ばね９５が実装されている。
【００７５】
ケース１６の開口部を塞ぐカバー１１に貫通孔８０が形成されている。
この貫通孔８０の裏面１１Ｂに第１内側両面テープ９１を介して板金８１の表面８１Ａが接着されている。これにより、カバー１１の裏面１１Ｂで、かつ貫通孔８０を覆う位置に板金８１が設けられている。
【００７６】
図１１に示すように、第１内側両面テープ９１は、板金８１の周縁に沿って接着されるように断面略ロ字状に形成されている。
よって、第１内側両面テープ９１の中央に開口、すなわち、カバー１１と板金８１との空隙によって第１内側案内路９２が形成されている。これにより、板金８１の貫通穴８２に導かれた空気を第１内側案内路９２を経て貫通孔８０に導くことができる。
【００７７】
図１１に示すように、板金８１の裏面８１Ｃに第２内側両面テープ（第１固定部材）９３を介して防水シート８３の表面８３Ａが接着されている。
すなわち、板金８１の裏面８１Ｃに防水シート８３が第２内側両面テープ９３を介して積層されている。
【００７８】
防水シート８３は、略矩形状に形成されたシートであって、通気性を有する。
この防水シート８３は、防水シートの厚み方向に沿って連続する孔（例えば気泡）が形成された発泡ウレタン樹脂シート、延伸フィルムまたは蒸着式フィルムが用いられる。
連続する孔（例えば気泡）は、水分子よりも小さく、かつ気体分子よりも大きく形成されている。
これにより、防水シート８３は、通気性を確保するとともに、防水性を確保できる。
なお、防水シート８３としては、例えば日東電工株式会社製S-NTF2026A-N06を例示できる。
【００７９】
図１１に示すように、第２内側両面テープ９３は、防水テープ８３の周縁に沿って接着されるように断面略ロ字状に形成され、第２内側案内路（案内路）９４備えている。
第２内側案内路９４は、第２筐体１７内の空気を板金８１の裏面８１Ｃに案内する案内路である。
【００８０】
ここで、前述したように、防水シート８３は、通気性を確保するために、防水シートの厚み方向に沿って連続する孔（例えば気泡）が形成されている。
また、図１１に示すように、貫通孔３２とパネル６１の貫通孔６２とを対向しない位置に所定距離（例えば、１０〜２０ｍｍ）を置いて並列に配置されている。
【００８１】
以上説明したように、第２内側両面テープ９３に第２内側案内路９４を備え、第１筐体１７内の空気を板金８１の裏面８１Ｃに案内可能とした。
また、防水シート８３に連続する孔（例えば気泡）を形成して通気性を備えた。
【００８２】
さらに、第１内側両面テープ９１に第１内側案内路９２を備え、板金８１の表面８１Ａに導かれた空気を第１内側案内路８２を経て貫通孔８０に案内可能とした。
【００８３】
よって、第１筐体１７が変形して第１筐体１２の内部の密閉空間２３の容積が減少した場合、図１１に示すように、密閉空間８４の空気が防水シート８３を経て防水シート８３の表面８３Ａに向けて矢印Ａ方向に導かれる。
防水シート８３を経て防水シート８３の表面８３Ａに案内された空気が、第２内側両面テープ９３の第２内側案内路９４を経て板金８１の裏面８１Ｃ（図１１参照）に向けて矢印Ｂ方向に導かれる。
また、板金８１の裏面８１Ｃに案内された空気が板金８１の貫通穴８２を経て板金８１の表面８１Ａに向けて矢印Ｃ方向に導かれる。
さらに、板金８１の表面８１Ａに案内された空気が第１内側両面テープ９１の第１内側案内路９２を経て貫通孔８０の隙間に向けて矢印Ｄ方向に導かれる。
【００８４】
よって、第１筐体１７が変形して第１筐体１７の内部の密閉空間８４の容積が減少した場合に、密閉空間８４の空気を第１筐体１６の外側に排出して密閉空間８４の内圧を上昇させないようにできる。
これにより、レシーバ２５（図１参照）の振動板に変形が生じることを防いで音質変化が生じないようにできる。
【００８５】
また、通気口として外部端子から接続する貫通孔８０を用いているので、新たに通気口を設ける必要がない。
【００８６】
なお、本発明に係る電子機器は、前述した各実施形態に限定されるものではなく適宜変更、改良等が可能である。
例えば、各実施形態では、電子機器１０としてヒンジ部１３を介して第１筐体１１および第２筐体１２を使用状態（開状態）と携帯状態（閉状態）との間で回動自在に連結する携帯端末について例示したが、これに限らないで、他の電子機器に適用することも可能である。
【００８７】
例えば、第１筐体および第２筐体を使用状態（開状態）と携帯状態（閉状態）との間でスライド可能に構成されたスライド式の携帯端末に適用することも可能である。また、携帯端末に限らず、ゲーム機等の他の電子機器に適用することも可能である。また、レシーバが存在しない機器に適用してもよい。例えば、レシーバと類似した構造を持つマイクについても同様の課題が存在するため、マイクのみを持つ電子機器に適用するとしてもよい。
【００８８】
また、各実施形態では、第２内側両面テープ４５を略ニ字状に形成した例について説明するが、第２内側両面テープ４５の形状はこれに限らないで、略Ｃ（コ）字状、略Ｈ字状等の他の形状に形成することも可能である。
【００８９】
さらに、各実施形態では、非導電性シート３５を防水シート３３に第２内側両面テープ４５を介して積層した例について説明したが、これに限らないで、発光部２６に設けることも可能であり、さらには防水シート３３および発光部２６のどちらにも設けないようにすることも可能である。
【００９０】
また、各実施形態では、防水シート３３に連続する孔（例えば気泡）を形成することにより、光拡散性を有する例について説明したが、これに限らないで、その他の手段で防水シートに光拡散性を備えることも可能である。
【００９１】
さらに、各実施形態では、外側両面テープ５１を略Ｃ（コ）字状に形成した例について説明するが、外側両面テープ５１の形状はこれに限らないで、略ニ字状や略Ｈ字状等の他の形状に形成することも可能である。
また、各実施形態では、各シートおよびカバー２２は両面テープで固定されていたが、これに限られるものではない。接着材等の他の部材を用いて固定するとしてもよい。その際、上述した両面テープと同様、一部に空気が通過可能な通路を設けることで、上述した各実施形態と同様の効果を得ることができる。
【００９２】
さらに、各実施形態で使用した電子機器、第２筐体、ケース、カバー、レシーバ、発光部、回路基板、貫通孔、防水シート、非導電性シート、パネル、第１内側両面テープ、第２内側両面テープ、内側案内路、外側両面テープおよび外側案内路等の形状や構成は例示したものに限定するものではなく適宜変更が可能である。
【産業上の利用可能性】
【００９３】
本発明は、筐体のケースに収容された回路基板に発光部を実装し、発光部からの光を筐体のカバーに設けられた貫通孔を経て外部に導くように構成した電子機器への適用に好適である。
【符号の説明】
【００９４】
１０  電子機器
１２  第２筐体（筐体）
１７  第１筐体（筐体）
２１  ケース
２２  カバー
２３  密閉空間
２５  レシーバ
２６  発光部
３１  回路基板
３２  貫通孔（第１貫通孔）
３３  防水シート
３３Ａ  防水シートの表面
３５  非導電性シート
３７  パネル（オーナメント）
４１  第１内側両面テープ
４５  第２内側両面テープ（第１固定部材）
４７  第２内側案内路（案内路）
５１  外側両面テープ（第２固定部材）
５２  外側案内路（案内路）
６１  パネル
６２  パネル貫通孔（第２貫通孔）
６３  防水シート
７１  第１内側両面テープ
７２  第１内側案内路（案内路）
７３  第２内側両面テープ（第１固定部材）
７４  第２内側案内路（案内路）
８０  貫通孔（第１貫通孔）
８１  板金
８２  板金貫通孔（第２貫通孔）
８３  防水シート
９１  第１内側両面テープ
９２  第１内側案内路（案内路）
９３  第２内側両面テープ（第１固定部材）
９４  第２内側案内路（案内路）
９５  接点ばね
９６  回路基板
【図１】
2012134443.tif 000003
【図２】
2012134443.tif 000004
【図３】
2012134443.tif 000005
【図４】
2012134443.tif 000006
【図５】
2012134443.tif 000007
【図６】
2012134443.tif 000008
【図７】
2012134443.tif 000009
【図８】
2012134443.tif 000010
【図９】
2012134443.tif 000011
【図１０】
2012134443.tif 000012
【図１１】
2012134443.tif 000013